(57)【要約】【課題】画像形成装置等での条件設定時に、操作者が複数の表示画面の遷移状況を把握するために要求される労力を軽減させると共に、表示頻度の高い表示画面を更に容易に把握できるようにする。【解決手段】表示部と、操作部と、操作者から表示画面の表示切換指示が入力された場合に、当該表示切換指示に従って表示画面を切り換える表示制御部と、表示画面の表示履歴を記憶する表示履歴記憶部と、各表示画面の表示頻度を計測する表示頻度計測部とを備え、表示制御部は、過去に表示部に表示された各表示画面を示すそれぞれの画像と、各表示画面の遷移状況を示す画像とで、各表示画面を示す各画像同士の関連付けをツリー表示することで表示履歴を表示部に表示させ、当該各表示画面を示すそれぞれの画像を、表示頻度が高いほど濃い濃度とし、当該表示頻度が低いほど薄い濃度として表示する。【選択図】図１３
2008204296.tif 000002
【特許請求の範囲】
【請求項１】
操作者に対する各種メッセージを表示する表示手段と、
操作者から操作指示が入力される操作指示入力手段と、
前記操作指示入力手段に、操作者から前記表示手段の表示画面を切り換える表示切換指示が入力された場合に、当該入力された表示切換指示に従って、前記表示手段に表示させる表示画面を切り換える表示制御手段と、
前記表示制御手段によって切り換えられた前記表示画面の表示履歴を記憶する表示履歴記憶手段と、
前記表示制御手段によって表示された前記各表示画面の表示頻度を計測する表示頻度計測手段とを備え、
前記表示制御手段は、過去に前記表示手段に表示された各表示画面を示すそれぞれの画像と、前記各表示画面の遷移状況を示す画像とで、前記各表示画面を示す各画像同士の関連付けをツリー表示することによって、前記履歴記憶手段に記憶されている表示履歴を前記表示手段に表示させ、前記表示頻度計測手段によって計測された表示頻度が高いほど濃い濃度とし、当該表示頻度が低いほど薄い濃度として前記各表示画面を示すそれぞれの画像を表示する表示装置。
【請求項２】
操作者の認証を行う操作者認証手段を備え、
前記表示頻度計測手段は、前記操作者認証手段によって認証された操作者別に前記各表示画面の表示頻度を計測する請求項１に記載の表示装置。
【請求項３】
前記表示画面の表示時に、当該表示画面で案内する操作のいずれかを設定する指示が操作者から前記操作指示入力手段に入力されることなく、表示切換指示が入力されて、前記表示制御手段が前記表示手段の表示画面を切り換えたときは、前記表示頻度計測手段は、上記操作設定指示が未入力のまま切り換えられた表示画面の表示頻度の値を向上させない請求項１又は請求項２に記載の表示装置。
【請求項４】
前記表示制御手段は、前記表示手段の表示領域の縦又は横方向のいずれかを時間軸として、前記ツリー表示を行い、前記各表示画面が表示された時期に応じて、前記各表示画面を示す各画像の表示位置を前記時間軸方向において異ならせる請求項１乃至請求項３のいずれかに記載の表示装置。
【請求項５】
前記表示履歴記憶手段は、前記表示履歴として、過去に表示された各表示画面についての属性情報を記憶し、
前記表示制御手段は、前記表示画面を示す画像と共に、当該表示画面についての属性情報を前記表示手段に表示させる請求項１乃至請求項４のいずれかに記載の表示装置。
【請求項６】
前記操作指示入力手段として、前記表示手段にタッチパネル機能が備えられ、
前記操作指示入力手段には、前記各表示画面を示す各画像部分が操作者によってタッチされると、当該タッチされた画像が示す表示画面への表示切換指示が入力され、
前記表示制御手段は、前記入力された表示切換指示が示す表示画面を前記表示手段に表示させる請求項１乃至請求項５に載の表示装置。
【請求項７】
前操作指示入力手段に入力された操作指示により設定された動作条件を記憶する動作条件記憶手段を備え、
前記動作条件記憶手段は、前記表示切換指示に従って前記表示制御手段が前記表示画面を切り換えた場合であっても、既に設定済みの操作内容を変更しない請求項６に記載の表示装置。
【請求項８】
前記表示制御手段は、前記表示画面を示す画像として、当該表示画面を縮小した画像を前記表示手段に表示させる請求項１乃至請求項７のいずれかに記載の表示装置。
【請求項９】
請求項１乃至請求項８のいずれかに記載の表示装置を備えた画像形成装置。
【発明の詳細な説明】
【技術分野】
【０００１】
本発明は、表示装置及びこれを備えた画像形成装置に関し、特に、表示手段に表示する表示画面の表示切換制御に関する。
【背景技術】
【０００２】
従来から、選択される頻度が高くなるに連れて、アイコンのサイズを大きくして表示するアイコン表示装置が提案されている（下記特許文献１参照）。このアイコン表示装置によれば、頻繁に表示されるアイコンが操作者にとって見やすくなるので、アイコン選択時の操作性を向上させることができる。
【特許文献１】特開平５−６１６３２号公報
【発明の開示】
【発明が解決しようとする課題】
【０００３】
例えば、スキャナやコピー機等の画像形成装置においては、原稿読取条件や印刷条件等の動作条件を詳細に設定することが必要な場面が多々あり、その場合には、表示部の表示画面を次々に切り換え、各表示画面毎に異なる条件を入力する操作を行うことで、操作者所望の詳細な条件が設定可能とされている。このような場合には、操作者は、階層化された複数の表示画面を切り換えて各表示画面において詳細な設定を行うために、次々に切り換えられる各表示画面の遷移状況を把握しておく必要がある。そのため、画像形成装置等での条件設定時に、操作者が複数の表示画面の遷移状況を把握する労力を軽減させる技術が求められている。
【０００４】
しかし、上記特許文献１に示されるアイコン表示装置は、頻繁に利用されるアイコンを操作者に見易く表示したにすぎない。そのため、この特許文献１に開示されている技術では、上記画像形成装置での条件設定時に、操作者が複数の表示画面の遷移状況を把握する労力を軽減させることはできない。また、頻繁に表示される表示物を見やすく表示させる場合に、この表示物が階層的に構成されて遷移する複数の表示画面であり、１回の印刷時についての操作内容設定時に、１つの表示画面が何度も遷移させる必要があることを考慮すれば、表示の頻度をサイズで表現しても、表示部を視認した操作者は、直感的に表示画面の階層と頻度を把握し難いと考えられる。
【０００５】
本発明は、上記の問題を解決するためになされたもので、画像形成装置等での条件設定時に、操作者が複数の表示画面の遷移状況を把握するために要求される労力を軽減させると共に、表示頻度の高い表示画面を更に容易に把握できるようにすることを目的とする。
【課題を解決するための手段】
【０００６】
本発明の請求項１に記載の発明は、操作者に対する各種メッセージを表示する表示手段と、
操作者から操作指示が入力される操作指示入力手段と、
前記操作指示入力手段に、操作者から前記表示手段の表示画面を切り換える表示切換指示が入力された場合に、当該入力された表示切換指示に従って、前記表示手段に表示させる表示画面を切り換える表示制御手段と、
前記表示制御手段によって切り換えられた前記表示画面の表示履歴を記憶する表示履歴記憶手段と、
前記表示制御手段によって表示された前記各表示画面の表示頻度を計測する表示頻度計測手段とを備え、
前記表示制御手段は、過去に前記表示手段に表示された各表示画面を示すそれぞれの画像と、前記各表示画面の遷移状況を示す画像とで、前記各表示画面を示す各画像同士の関連付けをツリー表示することによって、前記履歴記憶手段に記憶されている表示履歴を前記表示手段に表示させ、前記表示頻度計測手段によって計測された表示頻度が高いほど濃い濃度とし、当該表示頻度が低いほど薄い濃度として前記各表示画面を示すそれぞれの画像を表示する表示装置である。
【０００７】
この構成によれば、表示制御手段が、過去に表示した表示画面の表示履歴を、表示手段に表示させるので、例えば、操作者は、表示手段にその時点で表示させている表示画面の前後に表示された表示画面や、その時点で表示中の表示画面の階層等を把握することができる。しかも、表示制御手段は、表示頻度が高いほど濃い濃度とし、当該表示頻度が低いほど薄い濃度として前記各表示画面を示すそれぞれの画像を表示するので、操作者は、表示頻度の高い表示画面を従来よりも容易に把握することができる。
【０００８】
また、請求項２に記載の発明は、請求項１に記載の表示装置であって、操作者の認証を行う操作者認証手段を備え、
前記表示頻度計測手段は、前記操作者認証手段によって認証された操作者別に前記各表示画面の表示頻度を計測するものである。
【０００９】
この構成によれば、表示頻度計測手段が、操作者認証手段によって認証された操作者別に各表示画面の表示頻度を計測するので、各操作者が自分で操作した表示画面の表示頻度だけに基づいて、上記表示画面を示す画像の濃淡が判定されて表示手段に表示されることになるため、他人による表示画面の切り換えが当該濃淡表示に反映されることがなくなり、現時点で操作する操作者についての表示頻度を正確に把握することができる。
【００１０】
また、請求項３に記載の発明は、請求項１又は請求項２に記載の表示装置であって、前記表示画面の表示時に、当該表示画面で案内する操作のいずれかを設定する指示が操作者から前記操作指示入力手段に入力されることなく、表示切換指示が入力されて、前記表示制御手段が前記表示手段の表示画面を切り換えたときは、前記表示頻度計測手段は、上記操作設定指示が未入力のまま切り換えられた表示画面の表示頻度の値を向上させないものである。
【００１１】
この構成によれば、表示画面で案内する操作のいずれかを設定する指示が操作者から前記操作指示入力手段に入力されることなく当該表示画面が切り換えられたときは、表示頻度計測手段は、上記操作設定指示が未入力のまま切り換えられた表示画面の表示頻度の値を向上させないので、例えば、複数の表示画面が第１階層から第ｎ階層までに階層化されている場合、操作者が、第１階層の表示画面で操作設定を行った後、続く第２階層等の表示画面は表示させるのみで何ら操作設定を行わず、第ｎ階層の表示画面を表示させて操作設定を行ったようなときは、真に操作設定に貢献した表示画面（例えば、第ｎ階層の表示画面）のみの表示頻度を向上させることができるので、操作者は、真に操作設定に貢献して表示頻度の高い表示画面を、より正確に認識することができる。
【００１２】
また、請求項４に記載の発明は、請求項１乃至請求項３のいずれかに記載の表示装置であって、前記表示制御手段は、前記表示手段の表示領域の縦又は横方向のいずれかを時間軸として、前記ツリー表示を行い、前記各表示画面が表示された時期に応じて、前記各表示画面を示す各画像の表示位置を前記時間軸方向において異ならせるものである。
【００１３】
この構成によれば、表示制御手段が、各表示画面を示す各画像の表示位置を上記時間軸方向において異ならせて、上記各表示画面を示す各画像を表示手段に表示するので、操作者は、表示手段に表示されている上記各表示画面を示す各画像及びその表示位置を視認することによって、過去に表示させた表示画面の種別、各表示画面の表示時期、更に各表示画面同士の表示の先後関係を把握することができる。
【００１４】
また、請求項５に記載の発明は、請求項１乃至請求項４のいずれかに記載の表示装置であって、前記表示履歴記憶手段は、前記表示履歴として、過去に表示された各表示画面についての属性情報を記憶し、
前記表示制御手段は、前記表示画面を示す画像と共に、当該表示画面についての属性情報を前記表示手段に表示させるものである。
【００１５】
この構成によれば、表示制御手段が、上記表示画面を示す画像と共に、当該表示画面についての属性情報を表示手段に表示させるので、操作者は、過去に表示された表示画面に付随する属性情報が示す内容まで把握することができる。
【００１６】
また、請求項６に記載の発明は、請求項１乃至請求項５に載の表示装置であって、前記操作指示入力手段として、前記表示手段にタッチパネル機能が備えられ、
前記操作指示入力手段には、前記各表示画面を示す各画像部分が操作者によってタッチされると、当該タッチされた画像が示す表示画面への表示切換指示が入力され、
前記表示制御手段は、前記入力された表示切換指示が示す表示画面を前記表示手段に表示させるものである。
【００１７】
この構成によれば、操作者が、表示手段に表示されている各表示画面を示す各画像部分をタッチすると、当該タッチされた画像が示す表示画面を、表示制御手段が表示手段に表示するので、操作者は、表示手段の表示画面を、過去に表示された表示画面のうちの所望の表示画面に、簡単に切り換えることができる。
【００１８】
また、請求項７に記載の発明は、請求項６に記載の表示装置であって、前操作指示入力手段に入力された操作指示により設定された動作条件を記憶する動作条件記憶手段を備え、
前記動作条件記憶手段は、前記表示切換指示に従って前記表示制御手段が前記表示画面を切り換えた場合であっても、既に設定済みの操作内容を変更しないものである。
【００１９】
この構成によれば、動作条件記憶手段は、表示切換指示に従って表示制御手段が表示手段の表示画面を切り換えても、既に設定済みの操作内容を変更しないので、操作者は、既に設定した操作の内容に影響を与えることなく、次々に表示画面を切り換えることができ、これにより、切り換え後の表示画面の表示中に、既に設定済みの操作内容に対しての変更を、操作指示入力手段によって行うことができる。
【００２０】
また、請求項８に記載の発明は、請求項１乃至請求項７のいずれかに記載の表示装置であって、前記表示制御手段は、前記表示画面を示す画像として、当該表示画面を縮小した画像を前記表示手段に表示させるものである。
【００２１】
この構成によれば、表示制御手段が、上記表示画面を示す画像として、当該表示画面を縮小した画像を表示手段に表示させるので、操作者は、上記表示画面を示す画像を視認することで、過去に表示された表示画面が、どのようなものであったのかを簡単に把握することができる。
【００２２】
また、請求項９に記載の発明は、請求項１乃至請求項８のいずれかに記載の表示装置を備えた画像形成装置である。
【００２３】
この構成によれば、上記請求項１乃至請求項８のいずれかに記載の発明と同様の作用を奏する。
【発明の効果】
【００２４】
請求項１に記載の発明によれば、例えば、操作者は、表示手段に現在表示させている表示画面の前後に表示された表示画面や、現在表示中の表示画面の階層等を把握することができる。しかも、表示制御手段は、表示頻度が高いほど濃い濃度とし、当該表示頻度が低いほど薄い濃度として前記各表示画面を示すそれぞれの画像を表示するので、操作者は、表示頻度の高い表示画面を従来よりも容易に把握することができる。
【００２５】
請求項２に記載の発明によれば、各操作者が自分自身で操作した表示画面の表示頻度だけに基づいて、上記表示画面を示す画像の濃淡が判定されて表示手段に表示されるので、他人による表示画面の切り換えが当該濃淡表示に反映されることがなくなり、現時点で操作する操作者についての表示頻度を正確に把握することができる。
【００２６】
請求項３に記載の発明によれば、操作者は、表示手段に表示されている内容を視認することによって、真に操作設定に貢献して表示頻度の高い表示画面を、より正確に認識することができる。
【００２７】
請求項４に記載の発明によれば、操作者は、表示手段に表示されている上記各表示画面を示す各画像及びその表示位置を視認することによって、過去に表示させた表示画面の種別、各表示画面の表示時期、更に各表示画面同士の表示の先後関係を把握することができる。
【００２８】
請求項５に記載の発明によれば、操作者は、過去に表示された表示画面に付随する属性情報が示す内容まで把握することができる。
【００２９】
請求項６に記載の発明によれば、操作者が、表示手段に表示されている各表示画面を示す各画像部分をタッチすると、当該タッチされた画像が示す表示画面が表示手段に表示されるので、操作者は、表示手段の表示画面を、過去に表示された表示画面のうちの所望の表示画面に、簡単に切り換えることができる。
【００３０】
請求項７に記載の発明によれば、操作者は、既に設定した操作の内容に影響を与えることなく、次々に表示画面を切り換えることができ、これにより、切り換え後の表示画面の表示中に、既に設定済みの操作内容に対しての変更を、操作指示入力手段によって行うことができる。
【００３１】
請求項８に記載の発明によれば、操作者は、上記表示画面を示す縮小画像を視認することで、過去に表示された表示画面が、どのようなものであったのかを簡単に把握することができる。
【００３２】
請求項９に記載の発明によれば、請求項１乃至請求項８のいずれかに記載の発明と同様の効果が得られる。
【発明を実施するための最良の形態】
【００３３】
以下、本発明に係る表示装置及びこれを備えた画像形成装置について説明する。図１は、本発明の一実施形態に係る画像形成装置の一例である複合機の構成を示す側面概略図である。図２は、操作部４００の部分拡大図である。複合機１は、本体部２００と、本体部２００の用紙搬出側、例えば左側に配設された用紙後処理部３００と、ユーザが種々の操作指令等を入力するための操作部４００と、本体部２００の上部に配設された原稿読み取り部５００と、原稿読み取り部５００の上部に配設された原稿給送部６００とから構成される。
【００３４】
図２にも示すように、操作部４００は、ＬＣＤ（Liquid Crystal Display）等からなる表示部４１０と、操作者から操作指示が入力される操作キー部４３０を備える。操作キー部４３０は、ヘルプキー４３１、スタートキー４３２、テンキー４３３、機能切換キー４３４及び履歴表示キー４３７等を備える。
【００３５】
ヘルプキー（指示受付手段）４３１は、操作者から、スキャナ機能、ファクシミリ機能、プリンタ機能、コピー機能等に関する各操作方法を表示する操作案内画面（ヘルプ画面）を表示部４１０に表示させる指示を受け付けるものである。履歴表示キー４３７は、表示制御部５２２（図３）によって過去に表示部４１０に表示されたことがある表示画面の履歴を表示する旨の指示の入力を操作者から、受け付けるものである。
【００３６】
スタートキー４３２は、コピー動作やスキャン動作等の各動作を開始させる指示を操作者から受け付ける。テンキー４３３は、コピー部数を指定する指示等を操作者から受け付けるキーである。機能切換キー４３４は、コピー機能、送信機能（スキャナ機能、ファクシミリ機能等）、ボックス機能（後述するＨＤＤ７４内に設けられている操作者毎の記憶領域（メールボックス）に記憶されているデータを読み出してプリントする機能）等を相互に切り替える機能切換指示を操作者から受け付けるキーである。
【００３７】
表示部（表示手段）４１０は、ＬＣＤ（Liquid Crystal Display）等からなり、タッチパネルを組み合わせたタッチパネルユニット等を備えている。表示部４１０は、種々の操作画面を表示すると共に、操作者が表示面（表示されている操作キー）をタッチすることで種々の機能の実行指令を入力することが可能とされている。
【００３８】
原稿給送部６０は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００３９】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００４０】
感光体ドラム２０４は、矢印方向に回転しながら帯電装置（図示省略）によって一様に帯電される。露光装置２０６は、原稿読み取り部５００において読み取られた原稿の画像に応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００４１】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００４２】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００４３】
図３は、図１に示す複合機の制御ブロック図である。複合機１は、スキャナ部１１、画像処理部２１、プリンタ部３１、操作部４００、制御部５１、ネットワークＩ／Ｆ（インターフェース）部７１、及びＨＤＤ（ハードディスクドライブ）７４を備える。
【００４４】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像を画像処理部２１へ出力する。
【００４５】
画像処理部２１は、補正部２２、画像加工部２３及び画像メモリ２４を含む。画像処理部２１は、読み取られた画像を必要に応じて補正部２２及び画像加工部２３により処理し、処理された画像を画像メモリ２４に記憶したり、プリンタ部３１へ出力する。補正部２２は、読み取られた画像に対してレベル補正、γ補正等の所定の補正処理を行う。画像加工部２３は、画像の圧縮又は伸張処理、及び拡大又は縮小処理等の種々の加工処理を行う。
【００４６】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像に対応するトナー像を形成し、転写部３４はトナー像を記録紙に転写し、定着部３５はトナー像を記録紙に定着させて画像を形成する。
【００４７】
ネットワークＩ／Ｆ部７１は、ネットワークインタフェース（10/100Base-TX）等を用
い、ＬＡＮを介して外部装置との間での種々のデータの送受信を制御する。ＨＤＤ７４は、スキャナ部１１によって読み取られた画像及び当該画像に設定されている出力形式等を記憶する。
【００４８】
操作部（操作指示入力手段）４００は、図１及び図２に示したように表示部４１０、操作キー部４３０を備える。表示部４１０は、タッチパネル機能により各種指示の入力を受け付ける複数のキーを表示する。例えば、表示部４１０には、表示画面切換キー４１１及び動作条件入力キー４１２が表示される。表示画面切換キー４１１は、表示部４１０の画面に、過去に表示された表示画面を示す画像として表示され、操作者によってタッチされると、当該タッチされた画像が示す表示画面への表示切換指示の入力を受け付けるものである。動作条件入力キー４１２は、動作条件の設定の入力を操作者から受け付けるために表示部４１０の画面に表示される各種のキーであり、印刷濃度を設定するキー、印刷倍率を設定するキー、印刷に用いる用紙サイズを設定するキー等である。
【００４９】
操作キー部４３０には、図２に示した機能切換キー４３４、スタートキー４３２、テンキー４３３等、履歴表示キー４３７が設けられている。本実施形態では、機能切換キー４３４、スタートキー４３２、テンキー４３３、履歴表示キー４３７等は、タッチセンサを利用したキーではなく、機械的に構成される。
【００５０】
制御部５１のＣＰＵ５２は、上記表示部４１０及び操作部４００の各キーから、操作者によって入力された指示を受け付ける。
【００５１】
制御部５１は、ＣＰＵ５２と、表示画像データ記憶部５３と、表示履歴記憶部５４と、動作条件記憶部５５とを備える。ＣＰＵ５２は、複合機１の動作制御を司るものである。表示画像データ記憶部（記憶手段）５３は、操作指示受付画面及び操作案内画面の表示に必要な画像データや、表示部４１０に表示可能な各画面を簡略的に示すそれぞれの表示画面画像のデータ、各表示画面の遷移状況を示す例えば棒状の画像等のデータを記憶している。
【００５２】
表示履歴記憶部（表示履歴記憶手段）５４は、表示制御部５２２によって切り換えられた表示部４１０の表示画面の表示履歴を記憶する。表示履歴記憶部５４は、表示頻度計測部５２４が計測した各表示画面の名称、表示回数、表示頻度、表示時間等の属性情報を、上記表示履歴として各表示画面毎に記憶する。また、表示履歴記憶部５４は、各表示画面について、その切り換え前後の表示画面（当該表示画面から遷移可能な表示画面）に関する情報を記憶している。
【００５３】
動作条件記憶部（動作条件記憶手段）５５は、操作部４００に操作者から入力された操作指示により設定された複合機１の動作条件（印刷濃度、印刷倍率設定、用紙サイズ設定等）を記憶する。この動作条件記憶部５５に記憶されている動作条件に基づいて、動作制御部５２１がスキャナ部１１による原稿読取動作、プリンタ部３１による画像形成動作（印刷動作）等を行わせる。
【００５４】
ＣＰＵ５２は、動作制御部５２１、表示制御部５２２、ＩＤ認証部５２３、及び表示頻度計測部５２４を備える。動作制御部５２１は、複合機１の各部（スキャナ部１１，画像処理部２１、プリンタ部３１等）の動作制御を司る。
【００５５】
表示制御部（表示制御手段）５２２は、表示部４１０の表示動作を制御する。表示制御部５２２は、表示画像データ記憶部５３から操作指示受付画面及び操作案内画面の表示に必要な画像データを読み出して表示部４１０に表示させる。また、表示制御部５２２は、操作者による表示画面切換キー４１１の操作で、表示部４１０の表示画面を切り換える表示画面切換指示が入力された場合に、表示部４１０の表示画面を切り換え、当該入力された表示切換指示に従った表示画面を表示部４１０に表示させる。さらに、表示制御部５２２は、表示画像データ記憶部５３に記憶されている表示画面を示す画像及び棒状画像により、表示部４１０に過去に表示した各表示画面を示す画像同士の関連付けをツリー表示することによって（詳細は後述）、表示履歴記憶部５４に記憶されている表示履歴を表示部４１０の画面に表示させる。
【００５６】
ＩＤ認証部（操作者認証手段）５２３は、操作者によって操作部４００に入力される操作者ＩＤ（Identification）に基づいて、複合機１を動作させようとする操作者が、正規のユーザであるかを認証する。例えば、ＩＤ認証部５２３は、入力された操作者ＩＤが、ＩＤ認証部５２３に記憶されている複数のＩＤのいずれかに一致することをもって、当該操作者ＩＤを入力した操作者が正規のユーザであると判断する。
【００５７】
表示頻度計測部（表示頻度計測手段）５２４は、表示制御部５２２によって表示された表示部４１０の各表示画面の表示頻度を計測する。例えば、表示頻度計測部５２４は、予め定められた一定期間（例えば１週間等）に表示された各表示画面についてのそれぞれの回数をカウントし、当該カウント値を各表示画面の表示頻度とする。
【００５８】
なお、本発明の一実施形態に係る表示装置は、上記操作部４００と、上記制御部５１の各部の所要部により構成される。
【００５９】
次に、複合機１による、表示部４１０に表示画面を表示する際における処理の第１実施形態について説明する。図４は、表示部４１０に表示画面を表示する際における処理の第１実施形態を示すフローチャート、図５は表示履歴表示時における処理の第１実施形態を示すフローチャート、図６は表示部４１０の表示画面の遷移を示す図、図７は表示部４１０の履歴表示画面の一例を示す図である。
【００６０】
複合機１の主電源が操作者によってオンにされると、表示制御部５２２は、表示部４１０に図６（ａ）に示すような基本画面Ａを表示させる。表示制御部５２２は、この基本画面Ａに、コピー、ファクス、プリンタ等の各機能の動作条件が設定可能なそれぞれの表示画面に切り換える指示の入力可能とするために、これら各表示画面に対応するそれぞれの表示画面切換キー４１１を表示させる。
【００６１】
表示制御部５２２が、表示部４１０に基本画面Ａを表示させているときに、操作者が、操作キー部４３０の履歴表示キー４３７を押下し、表示制御部５２２に、表示画面の表示履歴を表示する旨の指示が受け付けられると（Ｓ１でＹＥＳ）、処理は表示履歴の表示処理に移る（Ｓ７）。この示履歴の表示処理は後述する。
【００６２】
また、表示部４１０に基本画面Ａが表示されているときに、操作者が、基本画面Ａに表示されているいずれかの表示画面切換キー４１１を押下し、表示制御部５２２に、表示画面を切り換える指示が受け付けられると（Ｓ１でＮＯ，Ｓ２でＹＥＳ）、表示制御部５２２は、操作者によって押下された表示画面切換キー４１１に対応する表示画面を、表示部４１０に表示させる（Ｓ３）。例えば、操作者によって、基本画面に表示されている表示画面切換キー４１１のいずれかのキーを押下すると、図６（ｂ）に示すように、表示制御部５２２は、当該押下されたキーに対応する指示が示す別の表示画面を表示部４１０に表示させる。
【００６３】
表示制御部５２２が、上記のようにして表示部４１０の示画面を切り換えた後、動作制御部５２１は、表示履歴記憶部５４に、当該新たに表示させた表示画面についての表示履歴（表示回数、表示時間等）を記憶させる（Ｓ４）。さらに、当該表示画面の表示中に、操作者による動作条件入力キー４１２の操作で、当該表示画面が案内する動作条件を設定する指示の入力があった場合は（Ｓ５でＹＥＳ）、動作制御部５２１は、動作条件記憶部５５に、当該入力された指示が示す動作条件を記憶させる。すなわち、動作制御部５２１は、当該入力された指示が示す動作条件を複合機１に設定する（Ｓ６）。
【００６４】
この後、処理は、Ｓ１に戻り、表示制御部５２２は、操作者からの、表示画面切換指示又は表示履歴の表示指示の入力に備えて待機する。この後、操作者から、表示画面切換指示が入力されれば、表示制御部５２２は、指示された表示画面を、表示部４１０に表示させるが、このように表示制御部５２２が表示画面を切り換えた場合であっても、動作条件記憶部５５は、それまでに操作者によって設定された動作条件の内容を変更しない。これにより、操作者は、既に設定した動作条件を保持したままで、表示部４１０の表示画面を次々に切り換えることが可能になる。
【００６５】
なお、操作者によって、動作条件が予め定められた内容だけ設定された時点で、操作者によってスタートキー４３２が押下されると、動作制御部５２１は、動作条件記憶部５５に記憶されている動作条件に従って、スキャナ部１１又はプリンタ部３１等を動作させて、原稿読取動作又は印刷動作等を実行させる。
【００６６】
表示制御部５２２は、上記のようにして、操作者からの表示画面切換指示に基づいて、表示部４１０の表示画面を切り換えるが、表示制御部５２２は、各表示画面に表示される表示画面切換キー４１１が操作者によって押下されることで、図６（ａ）乃至（ｈ）に示すように、表示部４１０の表示画面を遷移させる。各表示画面に表示される表示画面切換キー４１１によって表示が切り換えられる表示画面は、図６において縦方向に並べて示す（ａ）（ｂ）（ｃ）（ｄ）の各表示画面のように、切り換え表示される次の表示画面における表示画面切換キー４１１を更に押下すると、当該切換表示されている表示画面で案内している動作条件を更に詳細に設定できる更に次の表示画面が表示されるように、階層的に設定されている。操作者は、各表示画面に表示される表示画面切換キー４１１を押下することで、それぞれの表示画面で更に詳細な動作条件を設定できるようになっている。
【００６７】
また、表示制御部５２２は、操作者によって、特定の表示画面切換キー４１１が押下されると、図６で（ｂ）（ｅ）（ｈ）として横方向に並べて示すように、その時点における表示画面で案内している動作条件とは異なる他の動作条件を案内する表示画面を、現在の表示画面から切り換えて表示部４１０に表示する。操作者は、当該新たに表示された表示画面に表示される表示画面切換キー４１１を押下することで、次々に更に別の動作条件を設定できる。
【００６８】
さらに、操作者が、当該他の動作条件を案内する表示画面に切り換えられた後、当該切換後の表示画面において、表示画面切換キー４１１を押下すると、この切換後の画面で案内する動作条件を更に詳細に設定できる表示画面を表示制御部５２２が表示部４１０に表示するようになっている。例えば、表示制御部５２２が図６（ｅ）の表示画面を表示部４１０に表示させているときに、操作者が、この切換後の画面に表示される各表示画面切換キー４１１を押下すると、表示制御部５２２は、図６（ｅ）（ｆ）（ｇ）の各表示画面のように、更に詳細な動作条件を設定可能な表示画面を表示部４１０に次々に表示させるようになっている。
【００６９】
続いて、図４及び図５を参照して、表示履歴表示時の処理を説明する。図４に示した表示部４１０の表示画面の表示制御処理において、表示部４１０に基本画面が表示されている時に、操作者が履歴表示キー４３７を押下し、表示制御部５２２に、表示画面の表示履歴を表示する旨の指示が受け付けられると（Ｓ１でＹＥＳ）、処理は、表示履歴の表示制御処理に移行する（Ｓ７）。
【００７０】
この場合、上記表示画面の表示履歴を表示する旨の指示に基づいて、表示制御部５２２は、表示履歴記憶部５４に記憶されている、表示部４１０に過去に記憶させた表示画面の情報を示す表示履歴情報（各表示画面の名称、表示回数、表示時間等の属性情報を含む）を読み出す（Ｓ７１）。そして、表示制御部５２２は、当該読み出した表示履歴情報によって示される、過去に表示されたことがある全ての表示画面を検出し、表示履歴中に表示する表示画面として設定する（Ｓ７２）。
【００７１】
そして、表示制御部５２２は、過去に表示された各表示画面を示す画像のデータを表示画像データ記憶部５３から読み出し、更に、当該各表示画面の切り換え前後に表示されるべき表示画面の情報を表示履歴記憶部５４から読み出す。そして、表示制御部５２２は、当該読み出した情報が示す、Ｓ７２で検出した表示履歴中に表示する各表示画面の階層関係（図６において縦方向に示す各表示画面の遷移関係）、及び図６に示す横方向における各表示画面の遷移関係に基づいて、表示部４１０の表示領域内における、当該各表示画面を示す画像の表示位置を設定する（Ｓ７３）。例えば、表示制御部５２２は、上記階層関係の情報に従って、各表示画面が、図６に示す縦方向において基本画面Ａから何番目に表示される表示画面であるか（即ち何番目の階層であるか）を検出する。そして、表示制御部５２２は、図７に示すように、基本画面Ａを示す画像が、表示部４１０の表示領域における最上位置に表示されるように設定し、階層が深くなるほど各表示画面が当該表示領域の下側に表示されるように、各表示画面を示す画像の表示位置を設定する。
【００７２】
また、表示制御部５２２は、図６の横方向における遷移関係（階層の深さが同一な表示画面同士での遷移）をなす各表示画面は、表示部４１０の表示領域における縦方向の表示位置が同一となるように設定し、横方向における表示位置のみを異ならせる。表示制御部５２２は、当該縦方向及び横方向のいずれの遷移関係についても、表示が切り換えられて遷移する表示画面同士を隣り合う位置に配置する。
【００７３】
また、表示制御部５２２は、表示画像データ記憶部５３から、各表示画面の遷移関係を示すための棒状画像のデータを読み出し、この棒状画像を、上記のようにして表示位置を設定した隣り合う各表示画面を示す画像同士の間に配置し、各画像同士を当該棒状画像で繋ぐようにする。このようにして、表示制御部５２２は、各表示画面を示す各画像同士の関連付けを表示部４１０にツリー状に表示させる。
【００７４】
さらに、表示制御部５２２は、各表示画面を示す画像の近傍に、上記読み出した属性情報の表示を配置する。さらに、表示制御部５２２は、上記表示履歴を表示する旨の指示が操作者から受け付けられた時点で表示部４１０に表示させていた表示画面を示す画像の近傍に、当該表示画面が、その時点で表示部４１０に表示されていた表示画面であることを示す画像Ｃを表示させる。
【００７５】
表示制御部５２２は、上記のようにして設定した各表示画面を示す画像、棒状画像、各表示画面の属性情報からなる遷移状況画面を、図７に示すように、表示部４１０の画面に表示履歴として表示させる（Ｓ７４）。
【００７６】
表示制御部５２２は、上記表示履歴を表示部４１０に表示させているときに、操作者によって履歴表示キー４３７が再度押下され、表示履歴の表示を停止させる旨の指示が入力された場合は（Ｓ７５でＹＥＳ）、上記表示履歴を表示する旨の指示が操作者から受け付けられた時点で表示部４１０に表示させていた表示画面を、再び表示部４１０に表示させる（Ｓ７６）。
【００７７】
このようにして表示される図７に示す表示履歴画面によれば、各表示画面の階層状態が縦方向に棒状画像で繋がって表示され、また、遷移可能な表示画面同士の関係が縦方向及び横方向に繋がって表示されるので、操作者は、当該表示画面を視認することによって、現在表示部４１０に表示されている表示画面がどのような経緯を経て表示されるに到ったか、当該表示画面の階層における位置、また、当該表示画面から遷移可能な他の表示画面を容易に把握することができる。
【００７８】
例えば、複合機１では、給紙カセットや排出トレイ２１０が複数用意されているが、用紙の給紙元や排出先を、操作者が印刷の度に個別にカスタム設定するためには、上記複数の表示画面を切り換えて分岐させ、個々の表示画面で別個の設定を行う必要があるが、この操作を操作者が行う場合に、ツリー状に表示された操作履歴を確認することで、表示画面の遷移の分岐位置が特定できる。
【００７９】
また、例えば、表示部４１０に単調で同じような表示画面が連続するために、操作者が誤ったボタン又はキーを選択して押下し、表示画面が次に遷移した後も気が付かないことがある。この場合、操作者は、どの表示画面における設定まで正しい操作を行ったのかがわからなくなって、設定を訂正すべき表示画面に復帰できないことがあるが、操作者は、グラフィカルなツリー状で表示される操作履歴を確認することで、操作を行った経路(経緯)と、個々の表示画面が何であったかを容易に特定できる。
【００８０】
次に、複合機１による、表示部４１０に表示画面を表示する際における処理の第２実施形態について説明する。図８は、表示部４１０に表示画面を表示する際における処理の第２実施形態を示すフローチャート、図９は表示履歴表示時の処理の第２実施形態を示すフローチャートである。図１０は、操作者ＩＤ入力画面の一例である。なお、第１実施形態と同様の処理は説明を省略する。
【００８１】
第２実施形態では、複合機１の主電源が操作者によってオンにされると、表示制御部５２２が、図１０に示すような、操作者に対して操作者ＩＤの入力を促す操作者ＩＤ入力画面を表示部４１０に表示させる（Ｓ１１）。この操作者ＩＤ入力画面が表示部４１０に表示されているときに、操作者による操作部４００の操作で操作者ＩＤが操作部４００に入力されると（Ｓ１２でＹＥＳ）、ＩＤ認証部５２３は、当該入力されたＩＤが、正規のＩＤであるか否かを認証する（Ｓ１３）。ＩＤ認証部５２３が、当該入力されたＩＤが正規のＩＤであると判断した場合（Ｓ１４でＹＥＳ）、表示制御部５２２は、上述した基本画面を表示部４１０に表示させる。
【００８２】
この後は、第１実施形態と同様の処理であるＳ１５乃至Ｓ２１の処理が行われる。但し、操作者からの表示画面切換指示に基づいて、表示制御部５２２が表示部４１０の表示画面を切り換えたとき、表示履歴記憶部５４が、当該切り換えて新たに表示された表示画面の表示履歴を、上記入力されたＩＤ毎に（すなわち、当該ＩＤを有するユーザ毎に）記憶する（Ｓ１８）。
【００８３】
続いて、図９及び上記図８を参照して、表示履歴表示時の処理の第２実施形態を説明する。表示履歴表示時の処理の第２実施形態では、表示画面の表示履歴を表示する旨の指示が表示制御部５２２に受け付けられると（図８のＳ１５でＹＥＳ）、表示制御部５２２は、表示履歴記憶部５４から、Ｓ１４で正規であると判断されたＩＤについての表示履歴情報を読み出す（Ｓ１９１）。そして、表示制御部５２２は、当該読み出したＩＤについての表示履歴情報に基づいて、第１実施形態と同様の処理であるＳ１９２乃至Ｓ１９６の処理を行う。
【００８４】
この第２実施形態によれば、各操作者が自分で行った表示画面の切り換え操作の履歴だけが表示部４１０に表示され、他人による表示画面の切り換え履歴が表示されないので、当該操作者にとって利用し易いものとなる。また、表示部４１０に表示される表示履歴の内容が複雑化してしまうことを防止でき、表示画面の遷移状況の把握が更に容易になる。
【００８５】
次に、複合機１による、表示部４１０に表示画面を表示する際における処理の第３実施形態について説明する。図１１は、表示部４１０に表示画面を表示する際における処理の第３実施形態を示すフローチャート、図１２は表示履歴表示時における処理の第２実施形態を示すフローチャート、図１３は表示部４１０の履歴表示画面の一例を示す図である。なお、第１又は第２実施形態と同様の処理は説明を省略する。
【００８６】
第３実施形態では、操作者からの表示切換指示に基づいて切換表示された各表示画面について、表示頻度計測部５２４が当該切換表示された表示画面の表示頻度を、上記入力された操作者ＩＤ毎に計測する（Ｓ４０）。そして、表示履歴記憶部５４が、当該切換表示された表示画面についての表示履歴と共に上記表示頻度情報を、操作者ＩＤ毎に記憶する（Ｓ４１）。
【００８７】
続いて、図１２を参照して、表示履歴表示時の処理の第３実施形態を説明する。表示履歴表示時の処理の第３実施形態では、表示制御部５２２は、表示部４１０の表示領域における各表示画面を示す画像の表示位置を設定すると共に（Ｓ４３３）、各表示画面を示す画像の表示時の濃度を、表示履歴記憶部５４に記憶されている各表示画面についての表示頻度（ＩＤ毎の表示頻度）に基づいて設定する（Ｓ４３４）。例えば、表示制御部５２２は、Ｓ３４で正規であると判断されたＩＤについて表示頻度が高いほど、各表示画面を示す画像の表示時の濃度を濃く設定する。表示制御部５２２は、このようにして設定した、表示頻度に応じた濃度の各表示画面を示す画像と、これに加えて、棒状画像、各表示画面の属性情報を、図１３に示すように、表示部４１０の画面に表示させる（Ｓ４３５）。なお、図１３では、表示制御部５２２が、複合機１の起動時に必ず表示される基本画面については、表示頻度に関係なく予め定められた薄い濃度で表示している。
【００８８】
この第３実施形態によれば、表示制御部５２２が、表示頻度が高いほど濃い濃度とし、当該表示頻度が低いほど薄い濃度として各表示画面を示すそれぞれの画像を表示するので、操作者は、表示頻度の高い表示画面を容易に把握することができる。
【００８９】
なお、第３実施形態では、上記表示履歴の記憶及び表示頻度の計測を、操作者ＩＤ毎に行っているが、表示履歴記憶部５４及び表示頻度計測部５２４が、操作者ＩＤ毎に上記表示履歴の記憶及び表示頻度の計測を行わず（すなわち、操作者に対してＩＤの入力を求めることなく）、複合機１の利用者全体について上記表示履歴の記憶及び表示頻度の計測を行い、これらに基づいて、表示制御部５２２が、上記表示画面を示す画像の濃度を設定するようにしてもよい。
【００９０】
また、上記第３実施形態においては、表示制御部５２２が、表示部４１０に表示画面を表示させても、当該表示させた表示画面で案内する動作条件のいずれについても設定指示が操作者から操作部４００に入力されないまま、操作者により表示画面切換指示が入力されて、表示制御部５２２が当該表示画面を別の表示画面に切り換えたときは、表示頻度計測部５２４は、動作条件を設定する指示が未入力のまま切り換えられた当該表示画面の表示頻度の値を向上させないようにしてもよい。これにより、表示制御部５２２は、真に操作設定に貢献しなかった表示画面を示す画像を、濃度を薄くして表示させるので、操作者は、表示部４１０に表示される表示履歴を視認することによって、真に操作設定に貢献して表示頻度の高い表示画面を、正確に認識することができる。
【００９１】
なお、本発明は上記実施の形態の構成に限られず種々の変形が可能である。以下に、更に他の実施形態を説明する。
【００９２】
(1)第４実施形態
上記第１乃至第３実施形態では、表示制御部５２２は、表示履歴の表示時に、過去に表示された各表示画面について、各表示画面によって構成される階層等に基づいて、表示部４１０の表示領域に各表示画面を示す画像の表示位置を設定するとき、図５に示す各表示画面の横方向における同一レベルの階層の遷移関係は、縦方向の表示位置を同一として示し、横方向における表示位置のみを異ならせることで、各表示画面の遷移状態を表示しているが、更に、表示制御部５２２が、以下に示すように、各表示画面を示す画像の表示位置を設定するようにしてもよい。
【００９３】
表示制御部５２２は、図１４に示すように、各表示画面が表示された時刻に応じて、縦方向における各表示画面を示す画像のそれぞれの表示位置を異ならせるようにしてもよい。この場合、表示履歴記憶部５４は、表示履歴の属性情報として、各表示画面が表示された時刻情報も記憶しておき、表示制御部５２２は、上記表示画面を示す各画像の表示位置を設定するときに、各表示画面の表示された時刻が早いほど、表示部４１０の表示領域における縦方向において上側に配置し、表示された時刻が遅いほど表示部４１０の表示領域における縦方向において下側に配置する。また、各表示画面が複数回表示されている場合は、表示制御部５２２は、各表示画面が表示された最も早い時間又は最も遅い時間のいずれかに基づいて、各表示画面を示す各画像の表示位置を設定するようにする。
【００９４】
これにより、図１４に示すように、各表示画面の遷移状況が、表示部４１０の表示領域における上方向から、表示された時刻の早い順に並ぶので、操作者は、表示部４１０に表示されている上記各表示画面を示す各画像及びその表示位置を視認することによって、過去に表示させた表示画面の種別、各表示画面の表示時期、更に各表示画面同士の表示の先後関係の全てを把握することができる。
【００９５】
また、更に、表示制御部５２２は、上記図１４のような表示履歴の表示時に、過去に表示された各表示画面について、各表示画面によって構成される階層等に基づいて、表示部４１０の画面に各表示画面を示す画像の表示位置を設定する場合、時間経過を表示部４１０の表示領域の横方向に採り、表示画面が表示された時刻に応じて、横方向の表示位置を異ならせるようにしてもよい。
【００９６】
(2)第５実施形態
更に、表示制御部５２２は、上記第４実施形態を、表示部４１０の表示領域において、各表示画面を示す画像同士の縦方向の間隔が、各表示画面が表示されたそれぞれの時刻の時間差に比例した長さとなるように、各表示画面を示す画像のそれぞれの表示位置を設定してもよい。この場合、操作者は、表示履歴の表示された画面を視認すれば、各表示画面の表示された時刻が、どの程度異なっているかまで容易に把握することができる。なお、表示制御部５２２は、時間経過（時間軸）を表示部４１０の表示領域の横方向に採る場合は、表示画面が表示された時刻に応じて、各表示画面を示す画像についての横方向の表示位置を異ならせるようにする。
【００９７】
(3)第６実施形態
また、上記第１乃至第５実施形態では、表示履歴の表示画面には、表示制御部５２２が、過去に表示された各表示画面を示す画像を表示するが、更に、表示部４１０に備えられているタッチパネル機能により、当該各表示画面を示す画像部分が操作者によって押下された場合に、押下された画像が示す表示画像に表示を切り換える旨の指示が表示制御部５２２に受け付けられるようにし、表示制御部５２２は、当該指示を受け付けた時に、表示部４１０に表示される内容を、当該表示切換指示が示す表示画面に切り換えるようにしてもよい。これにより、操作者は、表示部４１０に表示されている上記各表示画面を示す各画像及びその表示位置を視認して、過去に表示させた表示画面の種別等を確認した後、各表示画面を示す各画像部分をタッチするだけで、表示部４１０の表示画面を、過去に表示された表示画面のうちの所望の表示画面に、簡単に切り換えることができる。例えば、操作者は、過去に誤った操作をしてしまった表示画面を直ちに表示部４１０に表示させて、当該表示画面で操作をやり直すことが可能になる。
【００９８】
(4)第７実施形態
また、上記第１乃至第６実施形態において、表示制御部５２２が表示部４１０に表示する各表示画面を示す画像を、図１５に示すように、各表示画面を縮小した画像としてもよい。この場合、表示画像データ記憶部５３に各表示画面の縮小画像のデータを記憶させておき、表示制御部５２２は、当該表示画像データ記憶部５３から、過去に表示された各表示画面に対応する縮小画像を読み出して、表示部４１０に表示させる。
【００９９】
なお、上記図１乃至図１５に示した本発明に係る表示装置及び画像形成装置の構成及び処理は、単なる一例に過ぎず、本発明に係る表示装置及び画像形成装置の構成及び処理を上記に示した内容に限定するものではない。
【図面の簡単な説明】
【０１００】
【図１】本発明の一実施形態に係る画像形成装置の一例である複合機の構成を示す側面概略図である。
【図２】操作部の部分拡大図である。
【図３】複合機の制御ブロック図である。
【図４】表示部に表示画面を表示する際の処理の第１実施形態を示すフローチャートである。
【図５】表示履歴表示時の処理の第１実施形態を示すフローチャートである。
【図６】表示部の表示画面の遷移を示す図である。
【図７】表示部の履歴表示画面の一例を示す図である。
【図８】表示部に表示画面を表示する際における処理の第２実施形態を示すフローチャートである。
【図９】表示履歴表示時における処理の第２実施形態を示すフローチャートである。
【図１０】操作者ＩＤ入力画面の一例である。
【図１１】表示部に表示画面を表示する際における処理の第３実施形態を示すフローチャートである。
【図１２】表示履歴表示時における処理の第２実施形態を示すフローチャートである。
【図１３】表示部の履歴表示画面の一例を示す図である。
【図１４】表示部の履歴表示画面の一例を示す図である。
【図１５】表示部の履歴表示画面の一例を示す図である。
【符号の説明】
【０１０１】
１        複合機
５１      制御部
５２      ＣＰＵ
５２１    動作制御部
５２２    表示制御部
５２３    ＩＤ認証部
５２４    表示頻度計測部
５３      表示画像データ記憶部
５４      表示履歴記憶部
５５      動作条件記憶部
４００    操作部
４１０    表示部
４１１    表示画面切換キー
４１２    動作条件入力キー
４３０    操作キー部
４３４    機能切換キー
４３７    履歴表示キー
【図１】
2008204296.tif 000003
【図２】
2008204296.tif 000004
【図３】
2008204296.tif 000005
【図４】
2008204296.tif 000006
【図５】
2008204296.tif 000007
【図６】
2008204296.tif 000008
【図７】
2008204296.tif 000009
【図８】
2008204296.tif 000010
【図９】
2008204296.tif 000011
【図１０】
2008204296.tif 000012
【図１１】
2008204296.tif 000013
【図１２】
2008204296.tif 000014
【図１５】
2008204296.tif 000015
【図１３】
2008204296.tif 000016
【図１４】
2008204296.tif 000017